(57)【要約】  電極を慎重に選択し、内部ならびに外部の電流の流れを生成するように適切な電極を接続することによって、バッテリシステムをエレクトロクロミックシステムと組み合わせるデバイスが開示される。このシステムは、バッテリ構成要素をなくすることを可能にし、部品の数および相互接続の数を削減することによってコストを削減し製造歩留まりを改善する。しかし、この設計は、バッテリシステムの、検知システムとの組合せにさらに拡張することができる。
2011501221.tif 000002
【特許請求の範囲】
【請求項１】
第１のレドックス電位を有する第１の材料を有する少なくとも１つの第１の電極を含む第１の層と、
第２のレドックス電位を有する第２の材料、金属酸化膜、および前記金属酸化膜に吸着されたレドックス発色団を有する少なくとも１つの第２の電極を含む第２の層と、
第３のレドックス電位を有する第３の材料を有する少なくとも１つの第３の電極を含む第３の層とを具え、
該デバイスは電解質をさらに含み、前記第１の層、前記第２の層、および前記第３の層が前記電解質と接触し、第１のスイッチが前記第１の層および前記第２の層と電気的に接続し、第２のスイッチが前記第２の層および前記第３の層と電気的に接続し、
前記第１のレドックス電位は前記第２のレドックス電位より高い負電位であり、前記第３のレドックス電位は前記第２のレドックス電位より高い正電位であることを特徴とするデバイス。
【請求項２】
前記第１のスイッチおよび前記第２のスイッチが開いており、デバイスが充電され、前記レドックス発色団が酸化され第１の色を有する第１の状態を有することを特徴とする請求項１記載のデバイス。
【請求項３】
前記第１のスイッチが閉じられており、前記第１の電極からの電子が前記第２の電極に移行され、第２の状態において、前記レドックス発色団が還元され、第１の変色を受け、第２の色を有する第２の状態を有することを特徴とする請求項１記載のデバイス。
【請求項４】
前記第２のスイッチが閉じられており、電子が前記第２の層から前記第３の層に移行され、第３の状態において、前記レドックス発色団が第２の変色を受け、第１の色に戻る第３の状態を有することを特徴とする請求項１記載のデバイス。
【請求項５】
複数の独立のピクセルまたはセグメントをさらに備え、各独立のピクセルまたはセグメントは、前記少なくとも１つの第２の電極の１つまたは複数を含むことを特徴とする請求項１記載のデバイス。
【請求項６】
前記第１の層、前記第２の層、および前記第３の層が同じ物理平面上に位置することを特徴とする請求項１記載のデバイス。
【請求項７】
前記第１の層および前記第３の層は第１の平面内でインターディゲート（ｉｎｔｅｒｄｉｇａｔｅｄ）され、前記第２の層は第２の平面内にあることを特徴とする請求項１記載のデバイス。
【請求項８】
前記第１の層は第１の平面を占有し、記第２の層は第２の平面を占有し、記第３の層は第３の平面を占有し、前記第１の平面は前記第２の平面と前記第３の平面の間にあることを特徴とする請求項１記載のデバイス。
【請求項９】
前記第１の層は第１の平面を占有し、記第２の層は第２の平面を占有し、記第３の層は第３の平面を占有し、前記第３の平面は前記第１の平面と前記第２の平面の間にあることを特徴とする請求項１記載のデバイス。
【請求項１０】
前記第１の材料は、Ｌｉ、Ｋ、Ｃａ、Ｎａ、Ｍｇ、Ｈｇ、Ａｌ、Ｚｎ、およびＣｒからなる群から選択された物質を含むことを特徴とする請求項１記載のデバイス。
【請求項１１】
前記第１の材料はＺｎを含むことを特徴とする請求項１０記載のデバイス。
【請求項１２】
前記第２の材料はナノポーラス−ナノ結晶半導体金属酸化膜を含み、前記レドックス発色団は、前記ナノ結晶半導体金属酸化膜に吸着されることを特徴とする請求項１記載のデバイス。
【請求項１３】
前記ナノポーラス−ナノ結晶半導体金属酸化膜はメソポーラスＴｉＯ2膜であることを特徴とする請求項１２記載のデバイス。
【請求項１４】
前記第３の材料は、Ｃｕ2Ｏ、ＣｕＯ、ＡｇＯ、およびＭｎＯ2からなる群から選択された物質を含むことを特徴とする請求項１記載のデバイス。
【請求項１５】
デバイスに動作可能に接続され、Ｚｎ、Ａｇ／ＡｇＣｌ、およびＡｇ／ＡｇＮＯ3からなる群から選択された物質を有する基準電極をさらに具えたことを特徴とする請求項１記載のデバイス。
【請求項１６】
前記レドックス発色団はビオロゲンであることを特徴とする請求項１記載のデバイス。
【請求項１７】
前記電解質は、前記第１の層と前記第２の層の間のイオンの運動を支援する固体電解質層を含むことを特徴とする請求項１記載のデバイス。
【請求項１８】
前記個体電解質は、リチウムなどイオン化合物を有するポリマーであることを特徴とする請求項１７記載のデバイス。
【請求項１９】
電気エネルギーを貯蔵するための１つまたは複数のバッテリをさらに具えたことを特徴とする請求項１記載のディスプレイデバイス。
【請求項２０】
ディスプレイライトをさらに具えたことを特徴とする請求項１記載のディスプレイデバイス。
【請求項２１】
１つまたは複数のコンデンサをさらに具えたことを特徴とする請求項１記載のディスプレイデバイス。
【請求項２２】
前記第１の層、前記第２の層、および前記第３の層に動作可能に接続された１つまたは複数のコントローラをさらに具えたことを特徴とする請求項１記載のデバイス。
【請求項２３】
前記デバイスコントローラの少なくとも１つは単一の集積回路であることを特徴とする請求項２２記載のデバイス。
【請求項２４】
前記デバイスコントローラは、前記少なくとも１つの第１の電極が基準電極になるように電極間の接続を変化させることを特徴とする請求項２２記載のディスプレイデバイス。
【請求項２５】
前記コントローラに情報を送達するための１つまたは複数のセンサをさらに備えることを特徴とする請求項２２記載のデバイス。
【請求項２６】
前記センサを介して検知される情報は、圧力、温度、時間、湿度、オン時間、オン状態、オフ時間、オフ状態、グラデーションレベル、電圧、電流、電荷、電磁界、界面動電効果、光、スペクトル形状、化学化合物からなる群から選択された１つまたは複数のパラメータを含むことを特徴とする請求項２５記載のデバイス。
【請求項２７】
前記コントローラに動作可能に接続された通信モデムをさらに備えることを特徴とする請求項２２記載のディスプレイデバイス。
【請求項２８】
請求項２２記載のデバイスを動作させる方法であって、
（ａ）ディスプレイ情報を前記コントローラに入力するステップと、
（ｂ）前記ディスプレイ情報に基づいてコマンド信号を規定するステップと、
（ｃ）前記コマンド信号を前記デバイスコントローラから前記第２の層上の１つまたは複数のピクセルに送るステップと、
（ｄ）前記コマンド信号に基づいて前記１つまたは複数のディスプレイピクセル上で前記ディスプレイ情報を表示するステップと、
（ｅ）前記コマンド信号に基づいて前記第２の層および前記第３の層から電力を収集するステップと
を具えたことを特徴とする方法。
【請求項２９】
自己発電デバイスを動作させる方法において、
前記デバイスを用意するステップであって、前記デバイスは、
第１のレドックス電位を有する第１の材料を有する少なくとも１つの第１の電極を含む第１の層と、
第２のレドックス電位を有する第２の材料、金属酸化膜、および前記金属酸化膜に吸着されたレドックス発色団を有する少なくとも１つの第２の電極を含む第２の層と、
第３のレドックス電位を有する第３の材料を有する少なくとも１つの第３の電極を含む第３の層とを含み、
該デバイスは電解質をさらに含み、前記第１の層、前記第２の層、および前記第３の層が前記電解質と接触し、第１のスイッチが前記第１の層および前記第２の層と電気的に接続し、第２のスイッチが前記第２の層および前記第３の層と電気的に接続し、
前記第１のレドックス電位は前記第２のレドックス電位より高い負電位であり、前記第３のレドックス電位は前記第２のレドックス電位より高い正電位である、ステップと、
前記第１のスイッチおよび前記第２のスイッチを開くことによって前記ディスプレイデバイスを充電するステップと
を具えたことを特徴とする方法。
【請求項３０】
第１のスイッチを閉じ、電子を前記第１の電極から前記第２の電極に移行し、前記レドックス発色団を還元するステップをさらに含むことを特徴とする請求項２９記載の方法。
【請求項３１】
第２のスイッチを閉じ、電子を前記第２の電極から前記第３の電極に移行し、前記レドックス発色団を酸化するステップをさらに含むことを特徴とする請求項３０記載の方法。
【発明の詳細な説明】
【技術分野】
【０００１】
本発明は、一般に、スマートラベル、クレジットカード、スマートカード、センサ、無線周波数識別（ＲＦＩＤ）対応ディスプレイ、タッチディスプレイ、専用コンピュータ、使い捨てシステムなどのデバイス内で使用するための自己発電ディスプレイに関し、また、そのようなディスプレイを有する家電デバイスおよびワイヤレス通信デバイスに関する。
【背景技術】
【０００２】
様々な可搬型デバイスが、１つまたは複数のバッテリなど可搬型エネルギー源を使用している。他のデバイスは、無線周波（ＲＦ）によって維持される近接場通信を使用している。また、他のデバイスは、エネルギーを受け取り、一時のアドホックな事柄における動作を支援するために、誘導結合を使用する。バッテリ技術、およびそのようなデバイスの電力消費に対する改善にもかかわらず、デバイス有用寿命、および先進応用例のための十分なエネルギーヘッドルーム（ｅｎｅｒｇｙ  ｈｅａｄｒｏｏｍ）をもたらすために、バッテリがしばしば必要とされる。バッテリは扱いにくいものであり、新しい、また既存のフォームファクタを生み出す能力を制限する可能性がある。
【０００３】
いくつかのデバイスについては、太陽電池が、実行可能な補足的または代替のエネルギー源を代表する。可搬型計算機など、いくつかのデバイスは、これらのデバイスのいくつかを１つまたは複数の太陽電池によって完全に給電することができる十分に大きな使用可能表面積と十分に低い電力必要性とを共に有する。残念ながら、ラベルなど多数のデバイスは、環境光の量が、散発的または連続的な動作に必要とされるエネルギーを提供するのに十分でない屋内環境で使用される。その結果、太陽電池は、そのようなデバイスのための十分な電力源として見られていなかった。
【先行技術文献】
【特許文献】
【０００４】
【特許文献１】米国特許第７２０６０４４号明細書
【特許文献２】米国特許第６５１８９４４号明細書
【特許文献３】米国特許第５１５３７６０号明細書
【特許文献４】米国特許出願公開第２００７／００８０９２５号明細書
【特許文献５】米国特許第６１３０７７３号明細書
【特許文献６】米国特許第３９４０２０５号明細書
【発明の概要】
【発明が解決しようとする課題】
【０００５】
自己発電式ディスプレイシステムを生み出す試みは、太陽電池がＬＣＤディスプレイまたはＣｈ−ＬＣＤディスプレイと機械的に一体化される米国特許（特許文献１、特許文献２、または特許文献３参照）に述べられているものなど、太陽エネルギーを利用することに焦点を絞っている。米国特許出願（特許文献４参照）は、エレクトロクロミックディスプレイを太陽電池と一体化する。これらの補足的または代替のエネルギー源は、光がないとき機能しない。他の「自己発電」ディスプレイは、反射型双安定ディスプレイ用の圧電電力について記載している米国特許（特許文献５参照）に述べられているものなど、動力を電力源と考えている。米国特許（特許文献６参照）は、インジウム電極を使用し、外部電力を必要とすることなしにエレクトロクロミック材料の層内を呈色させるが、退色を制御することができない。
【０００６】
したがって、ワイヤレス通信デバイスを含めて、デバイス内のバッテリ電力を、市場で受け入れられる、かつコスト効果的な形で補う、または置き換えるための方法が、引き続き求められている。
【課題を解決するための手段】
【０００７】
一態様では、本発明は、自己発電または電力を補うことが可能なデバイスを提供する。このデバイスは、第１のレドックス電位を有する第１の材料を有する少なくとも１つの第１の電極を含む第１の層と、第２のレドックス電位を有する第２の材料、金属酸化膜、および金属酸化膜に吸着されたレドックス発色団を有する少なくとも１つの第２の電極を含む第２の層と、第３のレドックス電位を有する第３の材料を有する少なくとも１つの第３の電極を含む第３の層とを含む。また、このデバイスは電解質を含み、第１の層、第２の層、および第３の層が電解質と接触し、第１のスイッチが第１の層および第２の層と電気的に接続し、第２のスイッチが第２の層および第３の層と電気的に接続する。第１のレドックス電位は第２のレドックス電位より高い負電位であり、第３のレドックス電位は第２のレドックス電位より高い正電位である。
【０００８】
他の態様では、本発明は、自己発電デバイスを動作させる方法を提供する。この方法は、デバイスを用意するステップを含み、デバイスは、第１のレドックス電位を有する第１の材料を有する少なくとも１つの第１の電極を含む第１の層と、第２のレドックス電位を有する第２の材料、金属酸化膜、および金属酸化膜に吸着されたレドックス発色団を有する少なくとも１つの第２の電極を含む第２の層と、第３のレドックス電位を有する第３の材料を有する少なくとも１つの第３の電極を含む第３の層とを含む。このデバイスは、電解質をさらに含み、第１の層、第２の層、および第３の層が電解質と接触し、第１のスイッチが第１の層および第２の層と電気的に接続し、第２のスイッチが第２の層および第３の層と電気的に接続する。第１のレドックス電位は第２のレドックス電位より高い負電位であり、第３のレドックス電位は第２のレドックス電位より高い正電位である。この方法は、第１のスイッチおよび第２のスイッチを開くことによってディスプレイデバイスを充電するステップをさらに含む。
【図面の簡単な説明】
【０００９】
以下の、本発明の好ましい実施形態の詳細な説明は、添付の図面と併せ読めば、よりよく理解されよう。本発明を例示するために、図面には、現在好ましい実施形態が示されている。しかし、本発明は、図のまさにその構成および手段に限定されないことを理解されたい。
【００１０】
【図１】自己発電ディスプレイセンサデバイスの動作原理を示す図である。
【図２】自己発電モードから基準モードへの切替えを示す図である。
【図３】諸層、および基板上にプリントされた別個の基準電極を示す図である。
【図４】カソード層、電気光学層、アノード層を示す図である。
【図５】３つの異なる平面上の電極層の構成を示す図である。
【図６】単一の平面上の電極層の別の構成を示す図である。
【図７Ａ】単一の平面上の電極層の別の構成を示す図であり、スイッチおよびディスプレイ／センサコントローラに接続された層を示す図である。
【図７Ｂ】単一の平面上の電極層の別の構成を示す図であり、ディスプレイ／センサコントローラに接続された層を示す図である。
【図８Ａ】単一の平面上の異なる層がインターディジテートされている２つの平面上の層を示す図であり、それらの２つの平面の層平面図である。
【図８Ｂ】単一の平面上の異なる層がインターディジテートされている２つの平面上の層を示す図であり、それらの２つの平面の側面図である。
【図９】電極の層を有するスマートカードを示す図である。
【発明を実施するための形態】
【００１１】
ある種の用語が、単に便宜上、以下の説明で使用されており、限定するものではない。「右」「左」「上部（ｔｏｐ）」「下部（ｂｏｔｔｏｍ）」という語は、参照される図面内での方向を示す。
【００１２】
本明細書では、「電気光学層」は、電流または電圧に対して光学応答をもたらす、反射型ディスプレイ、たとえば電極およびエレクトロクロミックレドックス発色団を含むエレクトロクロミックディスプレイの層を意味する。他の例では、電気泳動ディスプレイ内の電気光学層は、電界の影響を受けて移動する荷電粒子を含むことができる。
【００１３】
本明細書では、「エレクトロコミック（ｅｌｅｃｔｒｏｃｈｏｍｉｃ）レドックス発色団」「レドックス発色団」または「発色団」は、電気化学反応に関わる、また酸化または還元したとき変色を受けるある物質または物質の混合物を意味する。また、本明細書では、「変色する」または「変色」は、その物質または物質の混合物が、新しい色を得る、または透明から色付きに変化する、または色付きから透明に変化することを意味する。変色は、観察者の目に見えるもの、または計器によって検出可能なものとすることができる。
【００１４】
本明細書では、「電気光学的に活性なエレクトロクロミック電極」または「電気活性」電極は、レドックス発色団を含み、レドックス発色団がレドックス化学反応に関わり変色するように電気化学的性質に関与する電極である。
【００１５】
本明細書では、「電気光学効果」は、デバイスの電荷に基づく、デバイスの光学特性の変動である。いくつかの実施形態では、電気光学効果は、電気光学的に活性なエレクトロクロミック電極上のレドックス発色団の色の変化の結果を含む。この結果は、関係デバイスの領域の光の散乱または光の吸収の変化を含むことができる。また、この結果は、関係デバイスの領域内における可視色または色彩差（ｓｈａｄｅ  ｏｆ  ｃｏｌｏｒ  ｄｉｆｆｅｒｅｎｃｅ）を含む。
【００１６】
図１を参照すると、一実施形態の自己発電ディスプレイ１００の動作原理が示されている。３つの電極が、電解質１０５に接触して配置される。電極は、電気化学反応に関わることができる物質を含む。電解質１０５は、通常の電解質とすることができ、あるいは下記で述べるように、電解質は、液体または固体とすることができる様々な物質を含むこともできる。第１の状態では、デバイスが充電されている。スイッチ１９０をポスト１１０上で閉じることにより、電極Ａ１２０から電極Ｃ１３０への電子移行が可能になり、第２の状態になる。電子が移行したとき、電極Ｃに関連付けられた電気光学材料が変化し、電気光学効果を生じる。好ましくは、この材料は、電極Ｃに吸着されたエレクトロコミック（ｅｌｅｃｔｒｏｃｈｏｍｉｃ）レドックス発色団を含み、この電気光学効果は、この発色団の第１の変色を含む。この変色は、第１の状態で存在していた第１の色から第２の状態で存在する第２の色への変化と呼ぶことができる。発色団が還元された後で、スイッチ１９０をポスト１４０上で閉じることにより、電極Ｂへの電子移行、および発色団の酸化が可能になり、デバイスは、第３の状態になる。酸化したとき、発色団を第１の状態の色に戻す第２の変色が発生する。ポスト１１０に対するスイッチ１９０の動作を第１のスイッチと呼ぶことができ、ポスト１４０に対するスイッチ１９０の動作を第２のスイッチと呼ぶことができる。レドックスメディエータが電解質内に存在しない、または電極間の機械的な短絡が存在するならば、システムは開回路（開スイッチ１９０／１１０および開スイッチ１９０／１４０）で双安定である。述べたように、これらのスイッチを開閉することにより、電気光学層の色を、第１の色と第２の色の間で繰り返し切り替えることができる。図１に示されている構造は、ディスプレイ、コンデンサ、バッテリの機能をもたらす。機能は、下記で述べるように、位置／入力センサをも含むように容易に拡張することができる。
【００１７】
好ましい実施形態では、電極Ａ１２０がＺｎ電極であり、電極ＢがＭｇＯ2電極であり、電極Ｃ１３０がメソポーラスなＴｉＯ2／ビオロゲン電極であり、ビオロゲンは発色団であり、レドックス反応に関与した結果として変化する。代替的実施形態は、他の物質またはそれらの組合せを、レドックス発色団として、またはレドックス発色団に加えて含む。電子移行に続いて、いくらかのＺｎ2+が生成される（電極結合または電解質結合）。ビオロゲンが着色された後、すなわちその還元形態で、スイッチ１４０を閉じることにより、ビオロゲンの退色、および同時にＭｎＯ2カソード１５０の還元が誘発される。水性酸性電解質内で亜鉛電極１２０（起電力（ＥＭＦ）（Ａ）＝−０．８Ｖ）、二酸化マンガン電極１５０（ＥＭＦ（Ｂ）＝＋０．６Ｖ）、およびＴｉＯ2／ビオロゲン電極１３０（ＥＭＦ（Ｃ）＝−０．４Ｖ）を有するセルは、自己発電し、コントローラなど外部デバイスが使用するための約１．４Ｖを生成することになる。したがって、着色状態と脱色状態の間のビオロゲンの切替えは、スイッチ１１０またはスイッチ１４０をそれぞれ閉じて電極Ａ１２０と電極Ｃ１３０、または電極Ｂ１５０と電極Ｃ１３０を単に接続することによって行うことができる。これは、Ｚｎ電極１２０とビオロゲン電極１３０の間の正味のＥＭＦがＭｎＯ2電極１５０とビオロゲン電極１３０の間の正味のＥＭＦに比べて正の方向のものであるために可能である。
【００１８】
上述の実施形態は、Ｚｎ電極、ＴｉＯ2／ビオロゲン電極、およびＭｎＯ2電極を含むが、概説されている原理、すなわち第１の電極から第２の電極への電子移行が第２の電極に関連付けられたレドックス発色団の色を変化させ、第２の電極から第３の電極への電子移行もまたレドックス発色団の色を変化させることを使用し、同様の相対的なＥＭＦを含む電極を選択することができる。そのような自己発電システムのためのドライバは、それだけには限らないが、複雑さが非常に小さいレベルのドライバとすることができる。これは、動作するのにスイッチの制御しか必要とされないために可能である。さらに、他の実施形態では、電極Ａ１２０および電極Ｂ１５０の安定な電極電位を基準電極として使用し、エレクトロクロミック電極Ｃ１３０の電位を制御することもできる。
【００１９】
また、外部コントローラに給電し、外部コントローラが充電（または放電）を制御することも可能である。この実施物は、３電極システムとしてシステムを動作させることを可能にする。他の実施形態では、自己発電ユニットを、ラベル、スマートカード、またはそれ自体のオン電力源を有する他のデバイスと一体化することができる。この実施形態では、様々な電力源を、コンピュータバッテリの管理のような、デバイス内の様々な機能に適合させることができる。他の実施形態では、エレクトロクロミックディスプレイがその容量性能力に関して最適化され、コンデンサとして、充電されたとき変色する。
【００２０】
本実施形態のアノード用の材料は、Ｌｉ、Ｋ、Ｃａ、Ｎａ、Ｍｇ、Ｈｇ、Ａｌ、Ｚｎ、Ｃｒ、またはそれらの組合せ、化合物、アマルガム、もしくは合金を含むことができる。本実施形態のカソード用の材料は、Ｃｕ2Ｏ、ＣｕＯ、ＡｇＯ、ＭｎＯ2、またはそれらの組合せ、化合物、アマルガム、もしくは合金を含むことができる。
【００２１】
好ましい実施形態では、電気光学電極が、メソポーラス、すなわちナノポーラス−ナノ結晶半導体金属酸化膜を含む。他の好ましい実施形態では、金属酸化物は、チタン、ジルコニウム、ハフニウム、クロム、モリブデン、インジウム、ニオブ、タングステン、バナジウム、ニオブ、タンタル、銀、亜鉛、ストロンチウム、鉄（Ｆｅ2+またはＦｅ3+）、ニッケル、およびペロブスカイトを含む半導体酸化物の群の１つまたは複数とすることができる。より好ましくは、金属酸化物は、
（ａ）Ｆ、Ｃｌ、Ｓｂ、Ｐ、Ａｓ、またはＢでドープされたＳｎＯ2、
（ｂ）Ａｌ、Ｉｎ、Ｇａ、Ｂ、Ｆ、Ｓｉ、Ｇｅ、Ｔｉ、ＺｒまたはＨｆでドープされたＺｎＯ、
（ｃ）ＳｎでドープされたＩｎ2Ｏ3、
（ｄ）ＣｄＯ、
（ｅ）３成分酸化物ＺｎＳｎＯ3、Ｚｎ2Ｉｎ2Ｏ5、Ｉｎ4Ｓｎ3Ｏ12、ＧａＩｎＯ3、またはＭｇＩｎ2Ｏ4、
（ｆ）ＴｉＯ2／ＷＯ3またはＴｉＯ2／ＭｏＯ3系、
（ｇ）ＳｂでドープされたＦｅ2Ｏ3、および
（ｈ）Ｆｅ2Ｏ3／ＳｂまたはＳｎＯ2／Ｓｂ系
を含む金属導電性金属酸化物の群から選択される。
【００２２】
好ましい実施形態では、レドックス発色団は、ナノポーラス−ナノ結晶半導体金属酸化膜に吸収または結合（ａｔｔａｃｈｅｄ）される。レドックス発色団は、それだけには限らないが、以下の化合物の１つまたは複数とすることができる。すなわち、
【００２３】
【化１】
2011501221.tif 000003
【００２４】
上式で、Ｒ1は、
【００２５】
【化２】
2011501221.tif 000004
【００２６】
からなる群から選択される。上記の構造では、Ｒ2は、Ｃ1-10アルキル、Ｎ酸化物、ジメチルアミノ、アセトニトリル、ベンジル、フェニル、モノニトロ置換フェニル、およびジニトロ置換フェニルから選択され、Ｒ3は、Ｃ1-10アルキルであり、Ｒ4〜Ｒ7は、水素、Ｃ1-10アルキル、Ｃ1-10アルキレン、アリールまたは置換アリール、ハロゲン、ニトロ、およびアルコール基からそれぞれ独立に選択される。Ｘは、塩化物、臭化物、ヨウ化物、ＢＦ4.-、ＰＦ6-、およびＣｌＯ4-からなる群から選択される電荷平衡イオンであり、ｎ＝１−１０である。
【００２７】
図２を参照すると、基準電極と共に動作することが可能なデバイス２００が示されている。負電位を有する電極Ａ２２０、電極Ａ２２０の負電位ほど高くない負電位を有する電極Ｃ２３０、および正電位を有する電極Ｂ２５０。また、図２は、コントローラ２６０およびスイッチ２９０、２９５、２９６と、ポスト２１０、２４０と、接続２７０、２８０とを示す。図１に示されている実施形態と同様に、ポスト２１０に対するスイッチ２９０の動作を第１のスイッチと呼ぶことができ、ポスト２４０に対するスイッチ２９０の動作を第２のスイッチと呼ぶことができる。好ましい実施形態では、電極Ａ２２０がＺｎ電極であり、電極Ｂ２５０がＭｎＯ2電極２５０であり、電極Ｃ２３０がＴｉＯ2電極２３０である。
【００２８】
図２に示されている実施形態では、アノード電極はまた、基準電極として、すなわち、安定な、よく知られている電極電位を有する電極として使用することができる。自己発電モードから基準モードへの切替えを、基準電極２３０を用いて、自己発電ディスプレイ２００に取り付けられたディスプレイコントローラ２６０を介して制御することができる。スイッチ２９０を極２１０に接続することにより、電極２３０が着色される。スイッチ２９０を極２４０に接続することにより、電極２３０が強制的に退色される。電気化学層（たとえば、ＴｉＯ2電極２３０）上に電荷が存在するとき、カソード層のシフトが発生する可能性がある。基準電極なしでは、駆動方式が電流駆動に制限される可能性があり、電流源が有限の時間量の間適用される。基準電極が使用されているとき、駆動方式は、より低コストの電圧ドライバとなることができる。イオン導電性であるが電気的に分離している電解質を使用することにより、電極電位のより高い安定性を達成することができる。
【００２９】
図２に示されている実施形態を使用し、セグメント間のコントラスト比を管理することができる。セグメントは、スマートカード内の数字セグメントディスプレイの７セグメント、または英数字セキュリティカードの１３セグメントとすることができよう。
【００３０】
図３を参照すると、負のレドックス電位を有する電極Ａ３２０、正のレドックス電位を有する電極Ｂ、および電極Ａ３２０と電極Ｂ３５０の電位の間のレドックス電位を有する電極Ｃ３３０を有する実施形態が示されている。好ましくは、電極Ａ３２０はＺｎ電極であり、電極Ｂ３５０はＭｎＯ2電極であり、電極Ｃ３３０はＴｉＯ2レドックス発色団電極である。図３に示されているように、ディスプレイはまた、別個の基準電極３６５を含むことができる。スイッチ３９０、ポスト３１０、３４０、およびコネクタ３７０、３８０は、図２における２９０、２１０、２４０、２７０、および２８０のラベルが付けられた図の特徴と同様である。図２に示されているディスプレイコントローラもまた、図３に示されている実施形態に適合させることができる。そのような構成では、ポスト３９５がスイッチ２９５と同様のスイッチを形成することができる。好ましい基準電極３６５は、銀／塩化銀（Ａｇ／ＡｇＣｌ）、銀／硝酸銀（Ａｇ／ＡｇＮＯ3）、またはＺｎを含む。
【００３１】
一実施形態では、（外部再充電なしに）達成可能なスイッチの数は、電極Ａまたは電極Ｂ（たとえば、Ｚｎ電極およびＭｎＯ2電極）の充電容量、コントラスト比（ＣＲ）目標、漏れ電流によって決まる。ＭｎＯ2の公称膜、すなわちモル質量＝８７ｇ／ｍｏｌ、密度＝５．０ｇ／ｃｍ3、したがってモル体積＝１７．４ｃｍ3／ｍｏｌについて考えてみる。このシステムに関して使用可能な電荷量は、以下のように計算される。４μｍ多孔質層（たとえば、ＭｎＯ2２５％、炭素２５％、空孔率５０％）については、バルクのＭｎＯ2は１μｍ（すなわち、１０-4ｃｍ）である。そのような層では、電極の１ｃｍ2あたりの体積＝１０-4ｃｍ・１ｃｍ2＝１０-4ｃｍ3、および電極の１ｃｍ2あたりのｍｏｌ＝１０-4ｃｍ3／（１７．４ｃｍ3／ｍｏｌ）＝５．７５×１０-6ｍｏｌである。電極の１ｃｍ2あたりの電荷＝５．７５×１０-6ｍｏｌ・９．６５×１０4Ｃ／ｍｏｌ＝５５０ｍＣであり、これは約０．１５ｍＡｈである。比較のために、ペーパーバッテリは約２ｍＡｈ／ｃｍ2を有する。
【００３２】
本発明の一実施形態によるデバイスが、電気光学電極（たとえば、ＴｉＯ2電極３５０）上に堆積された公称２５ｍｍ2（５ｍｍ×５ｍｍ）のアイコンを有し、電荷密度１．５ｍＣ／ｃｍ2を必要とし、このディスプレイに関連付けられた３ボルトのＩＣデバイスコントローラチップ（このチップは、従来のＩＣまたはプリント型とすることができる）によって駆動されると仮定する。次いで、このアイコンの１回の操作は、１．５ｍＣ＊０．２５ｃｍ2を使用してピクセルを充電し、コントローラ用に０．４＊３＊１を使用し、合計１．６ｍＣとなる。このシステムは、５５０ｍＣ／１．６ｍＣ／ｃｍ2＝スイッチ３５０回をサポートすることになる。そのような実施形態に適した応用例の例示的な、しかし非限定的な例は、輸送ストアードバリューカード、またはコンテナに取り付けられるスマートラベルを含む。上述のように、ディスプレイデバイスを、情報を選択的に表示し、各ピクセルまたはセグメント内で発電するように構成することができる。
【００３３】
上述のように、本発明の一実施形態における自己発電デバイスの特徴は、電極間のイオン導電性をもたらすために電極Ａ、Ｂ、Ｃがイオン導電体（すなわち、電解質）と接触することである。一般に、電極と接触する１つまたは複数のイオン導電体が電解質と呼ばれる。しかし、本明細書における実施形態は、必ずしも１つの一般的な電解質に限定されない。様々なタイプの電解質が様々な電極と接触することができる。異なる電解質が使用される場合、２つの相異なる電解質の界面を横切るイオン移動が可能であるべきである。特定の基準電極が追加される場合、その基準電極と共に使用される電解質は、その基準電極の平衡電位が確実に安定するように、十分な濃度のものとすることができる。好ましい実施形態では、Ａｇ／ＡｇＣｌ電極またはＡｇ／ＡｇＮＯ3電極などの電極が、ＫＣｌ電極と共に使用される。他の実施形態では、基準電極／電解質の少なくとも一部分の周りに、多孔質保護膜が配置される。
【００３４】
一実施形態では、電極間のイオンの運動を支援する固体電解質層が使用される。固体電解質は、リチウムなどイオン化合物を含むポリマーとすることができる。好ましい実施形態では、固体電解質は、溶媒（水性または有機）および塩を有するゲルなど、３次元構造である。他の好ましい実施形態では、固体電解質は、メタ酸化物（ｍｅｔａ  ｏｘｉｄｅ）クラスタなど、イオン導電体またはプロトン導電体である。
【００３５】
他の実施形態では、様々な金属または金属酸化物を電極内で一体化し、より複雑な構造を形成することができる。これは、より柔軟な、かつ特定のフォームファクタの必要性に適合された構造（丸めることができる、または共形にすることができる構造、またはアンテナ性能を損なわないように無線周波数識別（ＲＦＩＤ）対応システム内に配置することなど）を生み出すことを可能にする。また、電極材料の様々な厚さをも使用することができる。
【００３６】
図４を参照すると、電極が異なる平面内に設けられる本発明の一実施形態が示されている。第１の平面４１０は、図では、第２の平面４２０の下にある。電極は、たとえばプリントによって基板上に堆積された材料の層とすることができる。図４に示されているように、電極の層が平面４２０上に設けられている。電解質または電解質の組合せが平面４１０、４２０内の層同士を接続する。平面４１０は、アノード電極またはカソード電極の層を含むことができ、平面４２０は、その相手方となる電極の層を含むように適合される。たとえば、平面４１０が（１つまたは複数の）Ｚｎ電極の層を含む場合、平面４２０は、（１つまたは複数の）ＴｉＯ2／ビオロゲン電極および（１つまたは複数の）ＭｎＯ2電極を含むことができる。これらの層は、互いに重なり合う個々の基板に付着させることができる。あるいは、単一の基板上で並べて、または互いに重ねて、層を付着させることができる。どちらの場合でも、層同士を接触する電解質を設けることによって、層同士を動作可能に接続することができる。また、動作可能な接続は、電解質が浸透し、異なる基板上の層に、または単一の基板の異なる部分に接触することができる基板内の穴を含むことができる。
【００３７】
図４に示されているように、層４２０は、様々な構造の１つまたは複数の電極を含むようにプリントする、または他の方法で構築することができる。平面４２０上の電極は、異なる物質、たとえば電極４２１、４２２、４２３もしくは４２４内の金属Ａ、電極４２５内の合金Ｂ、または電極４２６、４２７もしくは４２８内の化合物Ｃを含むことができる。たとえば、１組の電極が金属酸化膜を含むことができ、一方、個々の電極が、その膜に追加された異なるドーピング材料を有する。電極材料の選択は、たとえば個々の電極の空孔率、導電率、または反応性を最適化することによってデバイスの電気的または電気化学的な性能を高めるように設計することができる。さらに、コネクタ４２９、４３１など金属接続を使用し、電極をブリッジ４３２にリンクさせることができる。ブリッジ４３２は層の一部であり、電極４２１〜４２８をリンクさせる導電性材料または電極材料を含む。他の実施形態では、絶縁コネクタ４３３が、電極４２７をブリッジ４３２にリンクする動作可能な接続を含む。この絶縁体は、電解質から金属接続を保護するように適合させることができる。層状構成要素を有するデバイス、およびそのようなデバイスの製造については、（２００８年３月２１日に出願された「Display systems manufactured by co-manufacturing printing processes」という名称の）米国特許出願第１２／０７７７８９号明細書記載されており、この出願を本明細書に、完全に述べられているのと同様に組み込む。
【００３８】
レドックス発色団の変化がエンドユーザによって監視される実施形態では、層（カソード層、電気化学層、アノード層）は、電気化学層がエンドユーザに見えるように、または他の方法で検出可能となるように配置することができる。層の配置および数は限定されないが、好ましい実施形態は、３層構成を含む。特定の層構成が図５、６、７、８に示されている。
【００３９】
図５を参照すると、３平面デバイス５００が示されている。アノード層５１０は、カソード層５２０の下の平面を占有し、カソード層５２０は、電気活性層５３０の下の平面を占有する。電気活性層５３０は、他の層の上方の層を占有し、ユーザに対して提示することができる。各層は、特定の応用例に適するようにその奥行き、幅、および高さを変えることができる。たとえば、電気光学層５３０は、下にあるカソード層５２０の面積より小さいその平面上の面積を有することができる。各層の奥行きを変えることができる。たとえば、カソード層またはアノード層は、残りの層より大きい奥行き（すなわち、紙面（ｔｈｅ  ｐｌａｎｅ）に対して直交する方向でより大きな寸法）を有することができる。
【００４０】
ディスプレイ／センサ５４０、５５０、５６０が層５３０上で示されている。一実施形態では、電気活性層内の電気活性要素を使用して情報を表示し、ディスプレイ／センサ５４０、５５０、または５６０がディスプレイとして実装される。他の実施形態では、電気活性要素を使用し、環境に対するそれらの応答に基づいて情報を提供することができ、その場合には、ディスプレイ／センサ５４０、５５０、または５６０は、センサとして実装される。ディスプレイ／センサ５４０、５５０、５６０によって離散的な点が示されているが、これらの点は、電気光学層内に組み込むことができる機能を表す。一実施形態では、視覚的表現を電気光学層全体にわたって提供することができる。他の実施形態では、電気光学層の第１の部分が１つの視覚的表現を含むことができ、第２の部分が第２の視覚的表現を含むことができる。他の実施形態では、電気光学層のすべてまたは一部分が、センサとして働くように適合されてもよい。
【００４１】
図６を参照すると、３つの層が１つの平面上にプリントされている単一の平面トポロジ６００が示されている。アノード層６１０は、平面の左側部分および上部部分に枠付けする。カソード層６２０は、平面の右側部分および下部部分に枠付けし、電気活性層６３０は、平面の中央部分を占有する。ディスプレイ／センサ６４０、６５０、６６０は、電気活性層６３０内に示されている。ディスプレイの制御は、単純なフリップフロップ風の構造から、より複雑なロジックまで様々なものとすることができる。プリント電子回路の改善により、本実施形態の制御回路の一部またはすべてを、ディスプレイ／センサ／バッテリ／キャパシタンス構造として、同じ基板上でプリントすることができる。そのようなデバイスは、「ディスプレイ制御型（ｄｉｓｐｌａｙ  ｃｏｎｔｒｏｌｌｅｄ）」と呼ぶことができる。図６に示されているように、ディスプレイの単一の平面トポロジをデバイス制御型に適合させることができるが、ディスプレイ制御型デバイスはこのトポロジに限定されない。
【００４２】
図７を参照すると、単一の平面トポロジの２つの異なる実施形態が図７Ａおよび図７Ｂに示されている。図７Ａおよび図７Ｂでは、アノード層７１０は、平面の左側部分および上部部分に枠付けする。カソード層７２０は、平面の右側部分および下部部分に枠付けし、電気活性層７３０は、平面の中央部分を占有する。ディスプレイ／センサ７４０、７５０、７６０は、電気活性層７３０内に示されている。基板７７０は、図では層の下にある。また、図７Ａは、層とディスプレイ／センサコントローラ７９０を接続するスイッチ７８１、７８２、７８３を示す。図７Ｂは、層に接続されたディスプレイ／センサコントローラ７９０を示す。
【００４３】
一実施形態では、電気光学層は、電磁スペクトル内の波長を有する特定の放射を吸収するように設計することができる。吸収される波長は、可視スペクトル内の光に対応することができる。層が光を吸収したとき、電極電位の、または光誘起電流の対応する変化を外部回路によって検出することができる。外部回路７８０が図７Ａおよび図７Ｂに示されている。そのような回路は、電荷増幅器、一般的なオペアンプ、または比較器からなることができる。好ましい実施形態では、この回路は、ディスプレイ／センサコンプトローラ（ｃｏｍｐｔｒｏｌｌｅｒ）７９０と一体化される。電極電圧または電極電流の変化または変化率を比較することにより、周囲条件の変化に対応する電気光学層上の光レベルの変化を検出することができる。そのような変化は、ＵＶ光にセンサ／ディスプレイがさらされることとすることができ、これは、たとえば、痛みやすい製品が輸送中に、最適に及ばない条件で貯蔵されていることを警告するために使用することができよう。
【００４４】
他の実施形態では、エレクトロクロミック層をセンサとして使用し、ユーザによる入力を検出することができる。好ましくは、層が特定の波長の光を吸収したとき、電極電位の、または光誘起電流の対応する変化を外部回路によって検出することができる。そのような回路は、電荷増幅器、一般的なオペアンプ、または比較器からなることができる。電極電圧または電極電流の変化または変化率を比較することにより、ユーザ入力に対応するセンサ／ディスプレイ上の光レベルの変化を検出することができる。たとえば、ユーザの指がセンサを覆ったとき、検知の手段として、電極上の入射光が減少し、それを検出することができるであろう。ユーザが触れたことの兆候を、監視する、またはユーザ入力に変換することができる。また、複数の検出領域を含めることができ、１つの領域内の入射光の、システム内の他のセンサ領域に対する変化を使用し、入力に関する位置情報を提供することができる。そのような実施形態は、ユーザ入力に対する複数の機能を可能にすることができよう。
【００４５】
他の実施形態では、センサが圧力を検出することができる。圧力は、圧力センサ、圧電センサなどをセンサ内に含めることによって検出することができる。また、デバイス内のスイッチの動作を追跡することによって、圧力検知に影響を及ぼすことができる。圧力情報が記録されるように、圧力センサをコントローラにリンクさせることができる。この情報は、物理的に、またはワイヤレス技術を介して遠隔から、デバイスに取り付けられたメモリ内に記録することができる。さらに、圧力検出は、デバイスが圧力に応答して光学的に変化するように、デバイスのディスプレイ部分の動作に変換され得る。
【００４６】
異なる層面積のサイズは、同じである必要はない。特定の層のサイズは、ユーザ可視領域と発電能力の釣り合いをとるように適合させることができる。図８を参照すると、２平面トポロジ８００の実施形態が示されている。アノード層８１０は、ブリッジ８１９に接続されたアーム８１１、８１２、８１３、８１４、８１５、８１６、８１７、および８１８を含む。ブリッジ８１９は、電極材料を含み、アーム８１１〜８１８をリンクする。カソード層８２０は、ブリッジ８２９に接続されたアーム８２１、８２２、８２３、８２４、８２５、および８２６を含む。アーム８２１、８２２、８２３、８２４、８２５、および８２６は、アーム８１１、８１２、８１３、８１４、８１５、８１６、および８１７とインターディジテートされている。各アームは、別個の電極とすることができ、または層８１０もしくは層８２０全体が単一の電極として働くこともできる。
【００４７】
図９を参照すると、ディスプレイがスマートカード９００の一部である実施形態が示されている。スマートカードはしばしば薄いバッタ（ｂａｔｔｅｒ）を必要とするが、本実施形態の下では、カード９００は、必ずしも薄いバッテリを必要としない。この実施形態では、厚いカソード層およびアノード層９０１の第１の領域９１０がカード９００の一部分内にあり、薄いカソード層およびアノード層を有する第２の領域９０２がカード９００の別の部分である。さらに、電気活性層が第２の領域９０２に追加される。これらの領域のサイズおよび配置は、単に非限定的な例としてある。これらの領域内の層の厚さは、カードの全体的な厚さおよびトポロジを制御するように調整することができる。一実施形態では、均一なカード厚さがもたらされる。あるいは、電極、電解質、またはフィラを含めて、追加の層を構造の上部に追加し、カードの別々の点で所望の厚さをもたらすことができる。層の厚さを変えることにより、積層によってカードを処理することが容易になる。
【００４８】
結果として短いバッテリ寿命を伴う急速な自己放電を回避するために、少なくとも電子供与体電極（たとえば、電極Ａ１２０）または電子受容体電極（たとえば、電極Ｂ１５０）を他の電極から十分に分離することができる。図１では、スイッチ１１０、１４０がドライバ１６０に関連付けられ、電極を分離するように動作させることができる。図７に示されている実施形態は、バッテリを含むように適合させることができよう。この実施形態では、外部回路７８０が、電極を分離するために使用することができるスイッチ７８１、７８２、７８３を含む。電力源およびスイッチ２１０、２４０、２７０、２８０、２９０、２９５、２９６を示す図２をも参照されたい。バッテリを延長するために、電気活性種を電解質内において除去する、またはなくすることができ、電極間の直接の電気的短絡を最小限に抑えるべきである。また、電極システムの機能を制御するために、電極間の回路の次数および性質を制御することが好ましい。
【００４９】
好ましい実施形態では、様々な層を基板上に堆積するために、プリント技法、たとえばフレキソ印刷、リソグラフィ、スクリーン印刷、インクジェット印刷、またはグラビア印刷が使用される。より好ましくは、複数の層および／またはすべての層が同じ基板上でプリントされる。
【００５０】
最適な電気化学的連絡は、電気光学電極の寸法に依存する。好ましい実施形態では、層間の電気化学的連絡、およびコンパクトかつ場所を取らないアーキテクチャは、すべての層を互いに積み重ねてプリントすることによって達成される。さらに、直接の電気的短絡を回避するために、または特定の層間の短絡抵抗を制御するために、中間分離層を追加することができる。好ましい実施形態では、分離層が含まれ、プリント技法によって付着される。そのような構造では、分離層は、分離層の少なくとも一部にわたって多孔質とすることができる。多孔質構造は、これらの異なる電極層間のイオン導電性を促進することができる。他の実施形態では、１つの電解質を電極層Ａと電極層Ｂの間で、また異なる電解質を電極層Ｂと電極層Ｃの間で使用することができる。３つの電極層のそれぞれが異なる電解質と接触することも可能である。そのような実施形態では、イオン導電性、したがって電気化学的連絡が３つの異なる層間で可能になるように、様々な互換の電解質を選択することができる。
【００５１】
一実施形態では、アノード電極層およびカソード電極層内の電極同士を、ＮＨ4ＣｌまたはＫＯＨを含む電解質を介して接続することができ、カソード電極と電気活性電極の間の電解質は、Ｌｉ塩またはイオン液体とすることができよう。外部電力源にも接続され、したがって第３の電極が（疑似）基準電極である一実施形態では、別個の電解質を使用することができる。一実施形態では、アノードとカソードの間の電解質は、エレクトロクロミックシステムに関して前述した電解質のいずれかとすることができ、一方、基準電極（たとえば、Ａｇ／ＡｇＣｌ）を囲むイオン媒体は、高濃度のＫＣｌとすることができよう。他の実施形態では、基準電極はまた、アノードＺｎ電極との相互作用を回避するために、保護膜内で包むことができよう。
【００５２】
前述のように、本発明の実施形態は、デバイスコントローラを含むデバイスを含む。１つまたは複数のコントローラを設けることができる。コントローラは、単一の集積回路とすることができる。好ましい実施形態では、コントローラは、接触することなしに動作させることができ、たとえば、コントローラは、ワイヤレス技術を介して動作させることができる。マイクロスイッチを、ディスプレイコントローラに、また１つまたは複数の層に接続することができる。これらのスイッチは、層間で、選択的に開いて高い外部インピーダンスをもたらし、または閉じて低い外部インピーダンスをもたらすことができる。スイッチまたはコントローラを介して、充電器をデバイスに接続することもできる。好ましい実施形態では、コントローラは、アノード層を電荷源である状態から基準電極である状態に切り替えることができるように、層間でのスイッチまたは接続の変化を可能にする。他の好ましい実施形態では、コントローラは、電気光学層の電気光学特性を変化させることができる。他の好ましい実施形態では、コントローラは、レドックス発色団のすべて、または実質的にすべてが１つのレドックス状態になるように、電気光学層内のあらゆる電極の電気光学特性を変化させることができる。他の実施形態では、コントローラは、充電されているレドックスクロムフォア（ｃｈｒｏｍｐｈｏｒｅ）の一部分が変化するように、アノード層と電気光学層の間で接続を変化させることができる。一例では、レドックスクロムフォア（ｃｈｒｏｍｐｈｏｒｅ）上の電荷の５％が変化する。他の実施形態では、コントローラは、デバイスから外部構成要素にエネルギーを送ることができる。
【００５３】
コントローラは、様々な構成で設けることができる。一実施形態では、コントローラは、ディスプレイと同じ基板上で部分的にプリントされる。他の実施形態では、コントローラは、ディスプレイと同じ基板上で全体的にプリントされる。
【００５４】
前述のように、本明細書における実施形態のデバイスは、センサを含むことができる。一実施形態では、１つまたは複数のセンサが、環境情報を検出し、それをデバイスコントローラに送る。これらのセンサは、電気光学層の一部とすることができ、または外部センサとして設けることができる。センサを介して検知されるデータは、圧力、温度、時間、湿度、オン時間、オン状態、オフ時間、オフ状態、グラデーションレベル（ｇｒａｄａｔｉｏｎ  ｌｅｖｅｌ）、電圧、電流、電荷、電磁界、界面動電効果（ｅｌｅｃｔｒｏｋｉｎｅｔｉｃ  ｅｆｆｅｃｔｓ）、光、スペクトル形状、および特定の化学化合物の存在のうちの１つまたは複数とすることができる。
【００５５】
一実施形態では、本明細書における実施形態のデバイスはまた、電気エネルギーを貯蔵するための１つまたは複数の追加のバッテリ、１つまたは複数のディスプレイライト、電気エネルギーを貯蔵もしくはリサイクルするための１つまたは複数の追加のコンデンサ、または通信モデムを含むことができる。好ましい実施形態では、このデバイスは通信モデムを含むことができ、モデムはワイヤレスモデムである。
【００５６】
一実施形態では、レドックス発色団上に貯蔵された電荷の変化を、デバイス用のスキントーンとして使用することができる。
【００５７】
電極および層は、パッシブマトリクス、アクティブマトリクス、またはパッシブ構成要素とアクティブ構成要素の混合物で動作可能に接続することができる。
【００５８】
一実施形態では、ユーザがディスプレイ情報を入力することができるコントローラをデバイスが含み、コントローラは、コマンド信号を規定する。コマンド信号は、ピクセルが変色するように電気光学層内の１つまたは複数のピクセルに送ることができ、１つまたは複数のピクセルをディスプレイモードに設定することができる。さらに、コマンド信号により、電力を収集することができ、１つまたは複数のピクセルを充電モードに設定することができる。
（実施形態）
【００５９】
以下のリストは、本発明の特定の実施形態を含む。しかし、当業者には理解されるように、このリストは、限定するものではなく、代替的実施形態を除外しない。
１．  第１のレドックス電位を有する第１の材料を有する少なくとも１つの第１の電極を含む第１の層と、
第２のレドックス電位を有する第２の材料、金属酸化膜、および前記金属酸化膜に吸着されたレドックス発色団を有する少なくとも１つの第２の電極を含む第２の層と、
第３のレドックス電位を有する第３の材料を有する少なくとも１つの第３の電極を含む第３の層とを具え、
該デバイスは電解質をさらに含み、前記第１の層、前記第２の層、および前記第３の層が前記電解質と接触し、第１のスイッチが前記第１の層および前記第２の層と電気的に接続し、第２のスイッチが前記第２の層および前記第３の層と電気的に接続し、
前記第１のレドックス電位は前記第２のレドックス電位より高い負電位であり、前記第３のレドックス電位は前記第２のレドックス電位より高い正電位であることを特徴とするデバイス。
２．  前記第１のスイッチおよび前記第２のスイッチが開いており、デバイスが充電され、前記レドックス発色団が酸化され第１の色を有する第１の状態を有することを特徴とする実施形態１記載のデバイス。
３．  前記第１のスイッチが閉じられており、前記第１の電極からの電子が前記第２の電極に移行され、第２の状態において、前記レドックス発色団が還元され、第１の変色を受け、第２の色を有する第２の状態を有することを特徴とする実施形態１記載のデバイス。
４．  前記第２のスイッチが閉じられており、電子が前記第２の層から前記第３の層に移行され、第３の状態において、前記レドックス発色団が第２の変色を受け、第１の色に戻る第３の状態を有することを特徴とする実施形態１記載のデバイス。
５．  複数の独立のピクセルまたはセグメントをさらに備え、各独立のピクセルまたはセグメントは、前記少なくとも１つの第２の電極の１つまたは複数を含むことを特徴とする前記実施形態のいずれか１つに記載のデバイス。
６．  前記第１の層、前記第２の層、および前記第３の層が同じ物理平面上に位置することを特徴とする前記実施形態のいずれか１つに記載のデバイス。
７．  前記第１の層および前記第３の層は第１の平面内でインターディゲート（ｉｎｔｅｒｄｉｇａｔｅｄ）され、前記第２の層は第２の平面内にあることを特徴とする前記実施形態のいずれか１つに記載のデバイス。
８．  前記第１の層は第１の平面を占有し、記第２の層は第２の平面を占有し、記第３の層は第３の平面を占有し、前記第１の平面は前記第２の平面と前記第３の平面の間にあることを特徴とする前記実施形態のいずれか１つに記載のデバイス。
９．  前記第１の層は第１の平面を占有し、記第２の層は第２の平面を占有し、記第３の層は第３の平面を占有し、前記第３の平面は前記第１の平面と前記第２の平面の間にあることを特徴とする前記実施形態のいずれか１つに記載のデバイス。
１０．  前記第１の材料は、Ｌｉ、Ｋ、Ｃａ、Ｎａ、Ｍｇ、Ｈｇ、Ａｌ、Ｚｎ、およびＣｒからなる群から選択された物質を含むことを特徴とする前記実施形態のいずれか１つに記載のデバイス。
１１．  前記第１の材料はＺｎを含むことを特徴とする前記実施形態のいずれか１つに記載のデバイス。
１２．  前記第２の材料はナノポーラス−ナノ結晶半導体金属酸化膜を含み、前記レドックス発色団は、前記ナノ結晶半導体金属酸化膜に吸着されることを特徴とする前記実施形態のいずれか１つに記載のデバイス。
１３．  前記ナノポーラス−ナノ結晶半導体金属酸化膜はメソポーラスＴｉＯ2膜であることを特徴とする実施形態１２記載のデバイス。
１４．  前記第３の材料は、Ｃｕ2Ｏ、ＣｕＯ、ＡｇＯ、およびＭｎＯ2からなる群から選択された物質を含むことを特徴とする前記実施形態のいずれか１つに記載のデバイス。
１５．  デバイスに動作可能に接続され、Ｚｎ、Ａｇ／ＡｇＣｌ、およびＡｇ／ＡｇＮＯ3からなる群から選択された物質を有する基準電極をさらに具えたことを特徴とする前記実施形態のいずれか１つに記載のデバイス。
１６．  前記レドックス発色団はビオロゲンであることを特徴とする前記実施形態のいずれか１つに記載のデバイス。
１７．  前記電解質は、前記第１の層と前記第２の層の間のイオンの運動を支援する固体電解質層を含むことを特徴とする前記実施形態のいずれか１つに記載のデバイス。
１８．  前記個体電解質は、リチウムなどイオン化合物を有するポリマーであることを特徴とする前記実施形態のいずれか１つに記載のデバイス。
１９．  電気エネルギーを貯蔵するための１つまたは複数のバッテリをさらに備えることを特徴とする前記実施形態のいずれか１つに記載のディスプレイデバイス。
２０．  ディスプレイライトをさらに具えたことを特徴とする前記実施形態のいずれか１つに記載のディスプレイデバイス。
２１．  １つまたは複数のコンデンサをさらに具えたことを特徴とする前記実施形態のいずれか１つに記載のディスプレイデバイス。
２２．  前記第１の層、前記第２の層、または前記第３の層の１つまたは複数に動作可能に接続された１つまたは複数のコントローラをさらに備えることを特徴とする前記実施形態のいずれか１つに記載のデバイス。
２３．  前記デバイスコントローラの少なくとも１つは単一の集積回路であることを特徴とする実施形態２２記載のデバイス。
２４．  前記デバイスコントローラは、前記少なくとも１つの第１の電極が基準電極になるように電極間の接続を変化させることを特徴とする実施形態２２〜２３のいずれか１つに記載のディスプレイデバイス。
２５．  前記コントローラに情報を送達するための１つまたは複数のセンサをさらに備えることを特徴とする実施形態２２〜２４のいずれか１つに記載のデバイス。
２６．  前記センサを介して検知される情報は、圧力、温度、時間、湿度、オン時間、オン状態、オフ時間、オフ状態、グラデーションレベル、電圧、電流、電荷、電磁界、界面動電効果、光、スペクトル形状、化学化合物からなる群から選択された１つまたは複数のパラメータを含むことを特徴とする実施形態２５記載のデバイス。
２７．  前記コントローラに動作可能に接続された通信モデムをさらに備えることを特徴とする実施形態２２〜２６のいずれか１つに記載のディスプレイデバイス。
２８．  実施形態２２〜２７のいずれか１つに記載のデバイスを動作させる方法であって、
（ａ）ディスプレイ情報を前記コントローラに入力するステップと、
（ｂ）前記ディスプレイ情報に基づいてコマンド信号を規定するステップと、
（ｃ）前記コマンド信号を前記デバイスコントローラから前記第２の層上の１つまたは複数のピクセルに送るステップと、
（ｄ）前記コマンド信号に基づいて前記１つまたは複数のディスプレイピクセル上で前記ディスプレイ情報を表示するステップと、
（ｅ）前記コマンド信号に基づいて前記第２の層および前記第３の層から電力を収集するステップと
を含むことを特徴とする方法。
２９．  自己発電デバイスを動作させる方法において、
前記デバイスを用意するステップであって、前記デバイスは、
第１のレドックス電位を有する第１の材料を有する少なくとも１つの第１の電極を含む第１の層と、
第２のレドックス電位を有する第２の材料、金属酸化膜、および前記金属酸化膜に吸着されたレドックス発色団を有する少なくとも１つの第２の電極を含む第２の層と、
第３のレドックス電位を有する第３の材料を有する少なくとも１つの第３の電極を含む第３の層とを含み、
該デバイスは電解質をさらに含み、前記第１の層、前記第２の層、および前記第３の層が前記電解質と接触し、第１のスイッチが前記第１の層および前記第２の層と電気的に接続し、第２のスイッチが前記第２の層および前記第３の層と電気的に接続し、
前記第１のレドックス電位は前記第２のレドックス電位より高い負電位であり、前記第３のレドックス電位は前記第２のレドックス電位より高い正電位である、ステップと、
前記第１のスイッチおよび前記第２のスイッチを開くことによって前記ディスプレイデバイスを充電するステップと
を具えたことを特徴とする方法。
３０．  第１のスイッチを閉じ、電子を前記第１の電極から前記第２の電極に移行し、前記レドックス発色団を還元するステップをさらに含むことを特徴とする実施形態２９記載の方法。
３１．  第２のスイッチを閉じ、電子を前記第２の電極から前記第３の電極に移行し、前記レドックス発色団を酸化するステップをさらに含むことを特徴とする実施形態３０記載の方法。
３２．  第１の電気光学層と、
前記電気光学層に電荷を追加し、前記電気光学層の電気的に制御される特性を変化させるように構成された電極の第２の層と、
前記電気光学層から電荷を除去し、前記電気光学層の電気的に制御される特性を変化させ、前記第２の層との電気化学的動作を介して電気エネルギーを生成または貯蔵するように構成された電極の第３の層と
を具えたことを特徴とするデバイス。
３３．  前記電気光学層は、少なくとも１つの電気光学的に活性なエレクトロクロミック電極からなることを特徴とする実施形態３２記載のデバイス。
３４．  電気光学効果は、前記電気光学層の対応するセクションの、少なくとも１つの光吸収特性または光散乱特性の変形形態であることを特徴とする実施形態３２〜３３のいずれか１つに記載のデバイス。
３５．  複数の独立のピクセルまたはセグメントの１つが電気光学効果を有することを特徴とする実施形態３２〜３４のいずれか１つに記載のデバイス。
３６．  前記第２の層は、前記第１の層上の前記エレクトロクロミック電極が酸化形態にあるときそれを還元するのに適した、前記電気光学層電極に比べてより高い負の還元電位を有する１つまたは複数のアノードであることを特徴とする実施形態３２〜３５のいずれか１つに記載のデバイス。
３７．  前記第３の層は、前記エレクトロクロミック電極が還元形態にあるときそれを酸化するのに適した、前記電気光学層電極に比べてより高い正の還元電位を有する１つまたは複数のカソードであることを特徴とする実施形態３２〜３６のいずれか１つに記載のデバイス。
３８．  前記アノード用の材料は、Ｌｉ、Ｋ、Ｃａ、Ｎａ、Ｍｇ、Ｈｇ、Ａｌ、Ｚｎ、Ｃｒ、またはそれらの組合せ／化合物／アマルガム／合金のいずれかであることを特徴とする実施形態３２〜３７のいずれか１つに記載のデバイス。
３９．  前記カソード用の材料は、Ｃｕ2Ｏ、ＣｕＯ、ＡｇＯ、ＭｎＯ2、またはそれらの組合せ／化合物／アマルガム／合金のいずれかであることを特徴とする実施形態３２〜３８のいずれか１つに記載のデバイス。
４０．  レドックス発色団がナノポーラス−ナノ結晶半導体金属酸化膜に吸収または結合されることを特徴とする実施形態３２〜３９のいずれか１つに記載のデバイス。
４１．  前記金属酸化物は、チタン、ジルコニウム、ハフニウム、クロム、モリブデン、インジウム、ニオブ、タングステン、バナジウム、ニオブ、タンタル、銀、亜鉛、ストロンチウム、鉄（Ｆｅ2+またはＦｅ3+）、ニッケル、およびペロブスカイトからなる半導体酸化物の群から選択されることを特徴とする実施形態３２〜４０のいずれか１つに記載のデバイス。
４２．  前記金属酸化物は、
（ａ）Ｆ、Ｃｌ、Ｓｂ、Ｐ、Ａｓ、またはＢでドープされたＳｎＯ2、
（ｂ）Ａｌ、Ｉｎ、Ｇａ、Ｂ、Ｆ、Ｓｉ、Ｇｅ、Ｔｉ、ＺｒまたはＨｆでドープされたＺｎＯ、
（ｃ）ＳｎでドープされたＩｎ2Ｏ3、
（ｄ）ＣｄＯ、
（ｅ）３成分酸化物ＺｎＳｎＯ3、Ｚｎ2Ｉｎ2Ｏ5、Ｉｎ4Ｓｎ3Ｏ12、ＧａＩｎＯ3、またはＭｇＩｎ2Ｏ4、
（ｆ）ＴｉＯ2／ＷＯ3またはＴｉＯ2／ＭｏＯ3系、
（ｇ）ＳｂでドープされたＦｅ2Ｏ3、および
（ｈ）Ｆｅ2Ｏ3／ＳｂまたはＳｎＯ2／Ｓｂ系
からなる金属導電性金属酸化物の群から選択されることを特徴とする実施形態３２〜４１のいずれか１つに記載のデバイス。
４３．  前記レドックス発色団は、
【００６０】
【化３】
2011501221.tif 000005
【００６１】
からなる群から選択された１つまたは複数の物質を含み、上式で、Ｒ1は、
【００６２】
【化４】
2011501221.tif 000006
【００６３】
からなる群から選択され、
Ｒ2は、Ｃ1-10アルキル、Ｎ酸化物、ジメチルアミノ、アセトニトリル、ベンジル、および任意選択でニトロによってモノ置換またはジ置換されたフェニルから選択され、Ｒ3は、Ｃ1-10アルキルであり、Ｒ4〜Ｒ7は、水素、Ｃ1-10アルキル、Ｃ1-10アルキレン、アリールまたは置換アリール、ハロゲン、ニトロ、およびアルコール基からそれぞれ独立に選択され、Ｘは、塩化物、臭化物、ヨウ化物、ＢＦ4.-、ＰＦ6-、およびＣｌＯ4-からなる群から選択される電荷平衡イオンであり、ｎ＝１−１０であることを特徴とする実施形態３２〜４２のいずれか１つに記載のデバイス。
４４．  前記第１の層と前記第２の層の間のイオンの運動を支援する固体電解質層をさらに具えたことを特徴とする実施形態３２〜４３のいずれか１つに記載のデバイス。
４５．  前記第１の層と前記第３の層の間のイオンの運動を支援する固体電解質層をさらに備えることを特徴とする実施形態３２〜４４のいずれか１つに記載のデバイス。
４６．  前記個体電解質は、リチウムなどイオン化合物を有するポリマーであることを特徴とする実施形態４４または４５記載のデバイス。
４７．  前記固体電解質は、溶媒（水性または有機）および塩を有するゲルなど、３次元構造であることを特徴とする実施形態４４または４５記載のデバイス。
４８．  前記固体電解質は、イオンの移動を可能にするポリマーであることを特徴とする実施形態４４または４５記載のデバイス。
４９．  前記固体電解質は、メタ酸化物クラスタなど、イオン導電体またはプロトン導電体であることを特徴とする実施形態４４または４５記載のデバイス。
５０．  前記電気光学層は、外部検出回路によって入射放射の変化を監視することによって、周囲条件の変化を検出するために使用されることを特徴とする実施形態３２〜４９のいずれか１つに記載のデバイス。
５１．  前記電気光学層は、外部検出回路によって１つまたは複数のセンサ領域の一部またはすべての上での入射放射の変化を監視することによって、ユーザ入力を検出するために使用されることを特徴とする実施形態３２〜４９のいずれか１つに記載のデバイス。
５２．  前記３つの層が同じ物理平面上で並置されることを特徴とする実施形態３２〜５１のいずれか１つに記載のデバイス。
５３．  前記アノード層および前記カソード層は単一の平面内でインターディゲート（ｉｎｔｅｒｄｉｇａｔｅｄ）され、前記電気光学は別個の平面内にあることを特徴とする実施形態３２〜５２のいずれか１つに記載のデバイス。
５４．  前記アノード層は、１つの平面内で電極内または電極間に穴を備える層であり、電気光学層平面と前記カソード層平面の間に挟まれることを特徴とする実施形態３２〜５１のいずれか１つに記載のデバイス。
５５．  前記カソード層は、１つの平面内で電極内または電極間に穴を備える層であり、電気光学層平面と前記アノード層平面の間に挟まれることを特徴とする実施形態３２〜５１のいずれか１つに記載のデバイス。
５６．  相異なる層の諸要素の厚さが、デバイスの本質的に一定の厚さをもたらすように設定されることを特徴とする実施形態５４〜５５のいずれか１つに記載のデバイス。
５７．  １つまたは複数のデバイスコントローラをさらに備えることを特徴とする実施形態３２〜５６のいずれか１つに記載のデバイス。
５８．  ディスプレイ充電器コントローラに、また前記１つまたは複数の層に接続されたマイクロスイッチをさらに具えたことを特徴とする実施形態３２〜５７のいずれか１つに記載のデバイス。
５９．  前記ディスプレイピクセルは、選択的に情報を表示し発電するように構成されていることを特徴とする実施形態３２〜５８のいずれか１つに記載のデバイス。
６０．  前記１つまたは複数のデバイスコントローラの少なくとも１つは前記電気光学的な第１の層の電気光学効果を制御することを特徴とする実施形態５７〜５９のいずれか１つに記載のデバイス。
６１．  前記少なくとも１つのデバイスコントローラの遷移は、電気光学領域内の前記レドックス発色団部分の実質的にすべてを第１のレドックス状態から第２のレドックス状態に変換するように前記第１の層および前記第２の層に影響を及ぼすことができることを特徴とする実施形態５７〜６０のいずれか１つに記載のデバイス。
６２．  前記少なくとも１つのデバイスコントローラの遷移は、電気光学領域内の前記レドックス発色団部分の実質的にすべてを前記第２のレドックス状態から前記第１のレドックス状態に変換するように前記第１の層および前記第３の層に影響を及ぼすことができることを特徴とする実施形態５７〜６１のいずれか１つに記載のデバイス。
６３．  前記少なくとも１つのデバイスコントローラの遷移は、電気光学領域内の前記レドックス発色団部分上に貯蔵された電荷を５％未満だけ変更するように前記第１の層および前記第２の層に影響を及ぼすことができることを特徴とする実施形態５７〜６０のいずれか１つに記載のデバイス。
６４．  前記レドックス発色団部分上に貯蔵された電荷の変化がスキントーンとして使用されることを特徴とする実施形態６３記載のデバイス。
６５．  前記デバイスコントローラの動作は、無接触通信標準の動作に関連付けられた論理を介してトリガされることを特徴とする実施形態５７〜６４のいずれか１つに記載のデバイス。
６６．  前記デバイスコントローラの遷移は、１つまたは複数の外部構成要素にエネルギーを送るように前記第２の層および前記第３の層に影響を及ぼすことができることを特徴とする実施形態６４記載のデバイス。
６７．  前記１つまたは複数の構成要素はパッシブであることを特徴とする実施形態６６記載のデバイス。
６８．  前記構成要素は、アクティブ構成要素とパッシブ構成要素の混合物ことを特徴とする実施形態６６記載のデバイス。
６９．  ディスプレイ充電器コントローラに、また１つまたは複数の電極層に接続されたマイクロスイッチをさらに具えたことを特徴とする実施形態６６〜６８のいずれか１つに記載のデバイス。
７０．  前記マイクロスイッチは、層間で、選択的に開いて高い外部インピーダンスをもたらし、または閉じて低い外部インピーダンスをもたらすことができることを特徴とする実施形態６９記載のデバイス。
【００６４】
本明細書において引用されている引例はすべて、参照により完全に述べられているのと同様に組み込まれる。
【００６５】
したがって、本発明は、開示されている特定の実施形態に限定されず、添付の特許請求の範囲、上記の説明によって規定される、および／または添付の図面に示されている本発明の精神および範囲内にある修正すべてを包含するものとする。
【図１】
2011501221.tif 000007
【図２】
2011501221.tif 000008
【図３】
2011501221.tif 000009
【図４】
2011501221.tif 000010
【図５】
2011501221.tif 000011
【図６】
2011501221.tif 000012
【図７Ａ】
2011501221.tif 000013
【図７Ｂ】
2011501221.tif 000014
【図８Ａ】
2011501221.tif 000015
【図８Ｂ】
2011501221.tif 000016
【図９】
2011501221.tif 000017
【手続補正書】
【提出日】平成22年6月15日(2010.6.15)
【手続補正１】
【補正対象書類名】特許請求の範囲
【補正対象項目名】全文
【補正方法】変更
【補正の内容】
【特許請求の範囲】
【請求項１】
第１のレドックス電位を有する第１の材料を有する少なくとも１つの第１の電極を含む第１の層と、
第２のレドックス電位を有する第２の材料、金属酸化膜、および前記金属酸化膜に吸着されたレドックス発色団を有する少なくとも１つの第２の電極を含む第２の層と、
第３のレドックス電位を有する第３の材料を有する少なくとも１つの第３の電極を含む第３の層とを具え、
該デバイスは電解質をさらに含み、前記第１の層、前記第２の層、および前記第３の層が前記電解質と接触し、第１のスイッチが前記第１の層および前記第２の層と電気的に接続し、第２のスイッチが前記第２の層および前記第３の層と電気的に接続し、
前記第１のレドックス電位は前記第２のレドックス電位より高い負電位であり、前記第３のレドックス電位は前記第２のレドックス電位より高い正電位であることを特徴とするデバイス。
【請求項２】
前記第１のスイッチおよび前記第２のスイッチが開いており、デバイスが充電され、前記レドックス発色団が酸化され第１の色を有する第１の状態を有することを特徴とする請求項１記載のデバイス。
【請求項３】
前記第１のスイッチが閉じられており、前記第１の電極からの電子が前記第２の電極に移行され、第２の状態において、前記レドックス発色団が還元され、第１の変色を受け、第２の色を有する第２の状態を有することを特徴とする請求項１記載のデバイス。
【請求項４】
前記第２のスイッチが閉じられており、電子が前記第２の層から前記第３の層に移行される第３の状態であって、前記レドックス発色団が第２の変色を受け、第１の色に戻る第３の状態を有することを特徴とする請求項１記載のデバイス。
【請求項５】
複数の独立のピクセルまたはセグメントをさらに具え、各独立のピクセルまたはセグメントは、前記少なくとも１つの第２の電極の１つまたは複数を含むことを特徴とする請求項１記載のデバイス。
【請求項６】
前記第１の層、前記第２の層、および前記第３の層が同じ物理平面上に位置することを特徴とする請求項１記載のデバイス。
【請求項７】
前記第１の層および前記第３の層は第１の平面内でインターディゲート（ｉｎｔｅｒｄｉｇａｔｅｄ）され、前記第２の層は第２の平面内にあることを特徴とする請求項１記載のデバイス。
【請求項８】
前記第１の材料は、Ｌｉ、Ｋ、Ｃａ、Ｎａ、Ｍｇ、Ｈｇ、Ａｌ、Ｚｎ、およびＣｒからなる群から選択された物質を含むことを特徴とする請求項１記載のデバイス。
【請求項９】
前記第２の材料はナノポーラス−ナノ結晶半導体金属酸化膜を含み、前記レドックス発色団は、前記ナノ結晶半導体金属酸化膜に吸着されることを特徴とする請求項１記載のデバイス。
【請求項１０】
前記第３の材料は、Ｃｕ2Ｏ、ＣｕＯ、ＡｇＯ、およびＭｎＯ2からなる群から選択された物質を含むことを特徴とする請求項１記載のデバイス。
【請求項１１】
デバイスに動作可能に接続され、Ｚｎ、Ａｇ／ＡｇＣｌ、およびＡｇ／ＡｇＮＯ3からなる群から選択された物質を有する基準電極をさらに具えたことを特徴とする請求項１記載のデバイス。
【請求項１２】
前記電解質は、前記第１の層と前記第２の層の間のイオンの運動を支援する固体電解質層を含むことを特徴とする請求項１記載のデバイス。
【請求項１３】
電気エネルギーを貯蔵するための１つまたは複数のバッテリをさらに具えたことを特徴とする請求項１記載のデバイス。
【請求項１４】
１つまたは複数のコンデンサをさらに具えたことを特徴とする請求項１記載のデバイス。
【請求項１５】
前記第１の層、前記第２の層、および前記第３の層に動作可能に接続された１つまたは複数のコントローラをさらに具えたことを特徴とする請求項１記載のデバイス。
【請求項１６】
前記コントローラに情報を送達するための１つまたは複数のセンサをさらに具えたことを特徴とする請求項１５記載のデバイス。
【請求項１７】
前記センサを介して検知される情報は、圧力、温度、時間、湿度、オン時間、オン状態、オフ時間、オフ状態、グラデーションレベル、電圧、電流、電荷、電磁界、界面動電効果、光、スペクトル形状、化学化合物からなる群から選択された１つまたは複数のパラメータを含むことを特徴とする請求項１６記載のデバイス。
【請求項１８】
請求項１５記載のデバイスを動作させる方法であって、
（ａ）ディスプレイ情報を前記コントローラに入力するステップと、
（ｂ）前記ディスプレイ情報に基づいてコマンド信号を規定するステップと、
（ｃ）前記コマンド信号を前記デバイスコントローラから前記第２の層上の１つまたは複数のピクセルに送るステップと、
（ｄ）前記コマンド信号に基づいて前記１つまたは複数のディスプレイピクセル上で前記ディスプレイ情報を表示するステップと、
（ｅ）前記コマンド信号に基づいて前記第２の層および前記第３の層から電力を収集するステップと
を具えたことを特徴とする方法。
【請求項１９】
自己発電デバイスを動作させる方法において、
前記デバイスを用意するステップであって、前記デバイスは、
第１のレドックス電位を有する第１の材料を有する少なくとも１つの第１の電極を含む第１の層と、
第２のレドックス電位を有する第２の材料、金属酸化膜、および前記金属酸化膜に吸着されたレドックス発色団を有する少なくとも１つの第２の電極を含む第２の層と、
第３のレドックス電位を有する第３の材料を有する少なくとも１つの第３の電極を含む第３の層とを含み、
該デバイスは電解質をさらに含み、前記第１の層、前記第２の層、および前記第３の層が前記電解質と接触し、第１のスイッチが前記第１の層および前記第２の層と電気的に接続し、第２のスイッチが前記第２の層および前記第３の層と電気的に接続し、
前記第１のレドックス電位は前記第２のレドックス電位より高い負電位であり、前記第３のレドックス電位は前記第２のレドックス電位より高い正電位である、ステップと、
前記第１のスイッチおよび前記第２のスイッチを開くことによって前記ディスプレイデバイスを充電するステップと
を具えたことを特徴とする方法。
【請求項２０】
第１のスイッチを閉じ、電子を前記第１の電極から前記第２の電極に移行し、前記レドックス発色団を還元するステップをさらに具えたことを特徴とする請求項１９記載の方法。
【請求項２１】
第２のスイッチを閉じ、電子を前記第２の電極から前記第３の電極に移行し、前記レドックス発色団を酸化するステップをさらに具えたことを特徴とする請求項１９記載の方法。
【国際調査報告】
2011501221.tif 000018
2011501221.tif 000019